(57)【特許請求の範囲】
【請求項１】
鍵穴に入る鍵山の形状が異なる第１の鍵と第２の鍵で開錠可能に切換えることができる施錠装置であって、
前記鍵穴は、前記第１の鍵と前記第２の鍵を切換え可能な第１の位置と、切換えのできない第２の位置と、を作動する作動範囲を有し、
前記第１の鍵又は前記第２の鍵を前記第１の位置から前記第２の位置に作動させたときに、前記第１の鍵又は前記第２の鍵が前記第１の位置に作動することを規制する規制部材と、を備え、
前記第１の鍵又は前記第２の鍵が前記第１の位置から前記第２の位置に作動した後に前記規制部材を前記施錠装置に固定することを特徴とする施錠装置ユニット。
【請求項２】
請求項１記載の施錠装置ユニットであって、
前記鍵穴の作動範囲は３６０度回転可能であって、前記規制部材は前記鍵穴の前面に配置され回転範囲の一部を規制することを特徴とする施錠装置ユニット。
【請求項３】
請求項２記載の施錠装置ユニットであって、
前記第１の位置と前記第２の位置は略１８０度回転分離れ、前記規制部材は前記第２の位置にある鍵を前記第１の位置へ回転させないことを特徴とする施錠装置ユニット。
【請求項４】
請求項３記載の施錠装置ユニットであって、
前記規制部材は前記第２の位置にある鍵を一方向に１８０度未満回転可能であるが他方向に前記第１の位置に回転できない形状であることを特徴とする施錠装置ユニット。
【請求項５】
請求項３記載の施錠装置ユニットであって、
前記規制部材は前記第２の位置にある鍵を一方向に４５度未満回転可能で他方向にも４５度回未満回転できる形状であることを特徴とする施錠装置ユニット。
【請求項６】
請求項１乃至５記載の何れか１項に記載の施錠装置ユニットであって、
前記規制部材は前記鍵穴を塞ぐことはなく前記第１の鍵又は前記第２の鍵が挿入可能であることを特徴とする施錠装置ユニット。
【請求項７】
請求項１乃至６記載の何れか１項に記載の施錠装置ユニットであって、
前記規制部材は、前記第１の鍵又は前記第２の鍵の作動を規制する作動規制部と、前記規制部材を前記施錠装置に取り付ける取り付け部と、を有し、
前記施錠装置は前記規制部材を取り付ける被取り付け部を備え、
前記取り付け部は楔形状であって前記施錠装置の前記被取り付け部に楔着されていることを特徴とする施錠装置ユニット。
【請求項８】
請求項７記載の施錠装置ユニットであって、
前記作動規制部の一部の肉厚を他の部分に比べて薄肉にして、薄肉部分を壊れやすくすることを特徴とする施錠装置ユニット。
【請求項９】
請求項１乃至８記載の何れか１項に記載の施錠装置ユニットであって、
前記第１の鍵又は前記第２の鍵が前記第２の位置にある場合に前記第１の位置に作動可能にする切換え手段を備えたことを特徴とする施錠装置ユニット。
【請求項１０】
請求項９記載の施錠装置ユニットであって、
前記規制部材は前記切換え手段を覆うことを特徴とする施錠装置ユニット。
【請求項１１】
請求項１乃至１０記載の何れか１項に記載の施錠装置ユニットを備えた遊技台であって、
複数種類の絵柄が施された複数のリールと、
前記複数のリールの回転を開始させるスタートスイッチと、
前記複数のリールそれぞれに対応して設けられ、前記リールの回転を個別に停止させるストップスイッチと、
予め定められた複数種類の入賞役の内部当選の当否を抽選により判定する抽選手段と、
停止時の前記複数のリールにより表示された絵柄の組合せが、前記抽選手段により内部当選した入賞役の絵柄組合せであるか否かにより当該入賞役への入賞を判定する判定手段と、
を備えたことを特徴とする遊技台。
【請求項１２】
請求項１乃至１０記載の何れか１項に記載の施錠装置ユニットを備えた遊技台であって、
更に、所定の入賞口を有する遊技盤を備え、
前記所定の入賞口に遊技球が入球することにより、所定の特典を与えることを特徴とする遊技台。
【発明の詳細な説明】
【技術分野】
【０００１】
本発明は、施錠装置ユニットやそれを用いたスロットマシン（パチスロ機）やパチンコ機等の遊技台に関するものである。
【背景技術】
【０００２】
従来、キーコードの変更ができる可変式錠ではリセットボタンを押すことにより、現状の鍵と新規の鍵を切換えることができるものが提案されている。（たとえば特許文献１参照）。
【０００３】
【特許文献１】特開２００１−３２５８３号公報
【発明の開示】
【発明が解決しようとする課題】
【０００４】
しかしながら、前記した特許文献１に記載の発明においては、新規の鍵（専用鍵）にキーコードを変更した後にリセットボタンを押すことにより不正に現状の鍵（流通鍵、共通鍵）に変更されてしまい不正行為がされてしまうという虞があった。
【０００５】
以上のような問題に鑑み、本発明は、施錠が専用鍵に設定されているものを流通鍵に変更されるのを防止する施錠装置ユニットやそれを用いた遊技台の提供を目的とする。
【課題を解決するための手段】
【０００６】
本発明は上記の目的を達成するために、鍵穴に入る鍵山の形状が異なる第１の鍵と第２の鍵で開錠可能に切換えることができる施錠装置であって、前記鍵穴は、前記第１の鍵と前記第２の鍵を切換え可能な第１の位置と、切換えのできない第２の位置と、を作動する作動範囲を有し、前記第１の鍵又は前記第２の鍵を前記第１の位置から前記第２の位置に作動させたときに、前記第１の鍵又は前記第２の鍵が前記第１の位置に作動することを規制する規制部材と、を備え、前記第１の鍵又は前記第２の鍵が前記第１の位置から前記第２の位置に作動した後に前記規制部材を前記施錠装置に固定することを特徴とする。
【０００７】
また本発明は、請求項１記載の施錠装置ユニットであって、前記鍵穴の作動範囲は３６０度回転可能であって、前記規制部材は前記鍵穴の前面に配置され回転範囲の一部を規制することを特徴とする。
【０００８】
また本発明は、請求項２記載の施錠装置ユニットであって、前記第１の位置と前記第２の位置は略１８０度回転分離れ、前記規制部材は前記第２の位置にある鍵を前記第１の位置へ回転させないことを特徴とする。
【０００９】
また本発明は、請求項３記載の施錠装置ユニットであって、前記規制部材は前記第２の位置にある鍵を一方向に１８０度未満回転可能であるが他方向に前記第１の位置に回転できない形状であることを特徴とする。
【００１０】
また本発明は、請求項３記載の施錠装置ユニットであって、前記規制部材は前記第２の位置にある鍵を一方向に４５度未満回転可能で他方向にも４５度回未満回転できる形状であることを特徴とする。
【００１１】
また本発明は、請求項１乃至５記載の何れか１項に記載の施錠装置ユニットであって、前記規制部材は前記鍵穴を塞ぐことはなく前記第１の鍵又は前記第２の鍵が挿入可能であることを特徴とする。
【００１２】
また本発明は、請求項１乃至６記載の何れか１項に記載の施錠装置ユニットであって、前記規制部材は、前記第１の鍵又は前記第２の鍵の作動を規制する作動規制部と、前記規制部材を前記施錠装置に取り付ける取り付け部と、を有し、前記施錠装置は前記規制部材を取り付ける被取り付け部を備え、前記取り付け部は楔形状であって前記施錠装置の前記被取り付け部に楔着されていることを特徴とする。
【００１３】
また本発明は、請求項７記載の施錠装置ユニットであって、前記作動規制部の一部の肉厚を他の部分に比べて薄肉にして、薄肉部分を壊れやすくすることを特徴とする。
【００１４】
また本発明は、請求項１乃至８記載の何れか１項に記載の施錠装置ユニットであって、前記第１の鍵又は前記第２の鍵が前記第２の位置にある場合に前記第１の位置に作動可能にする切換え手段を備えたことを特徴とする。
【００１５】
また本発明は、請求項９記載の施錠装置ユニットであって、前記規制部材は前記切換え手段を覆うことを特徴とする。
【００１６】
また本発明は、請求項１乃至１０記載の何れか１項に記載の施錠装置ユニットを備えた遊技台であって、複数種類の絵柄が施された複数のリールと、前記複数のリールの回転を開始させるスタートスイッチと、前記複数のリールそれぞれに対応して設けられ、前記リールの回転を個別に停止させるストップスイッチと、予め定められた複数種類の入賞役の内部当選の当否を抽選により判定する抽選手段と、停止時の前記複数のリールにより表示された絵柄の組合せが、前記抽選手段により内部当選した入賞役の絵柄組合せであるか否かにより当該入賞役への入賞を判定する判定手段と、を備えたことを特徴とする。
【００１７】
また本発明は、請求項１乃至１０記載の何れか１項に記載の施錠装置ユニットを備えた遊技台であって、更に、所定の入賞口を有する遊技盤を備え、前記所定の入賞口に遊技球が入球することにより、所定の特典を与えることを特徴とする。
【発明の効果】
【００１８】
本発明によれば、不正にキーコードが変更されることを防止できる。
【発明を実施するための最良の形態】
【００１９】
以下、図面を用いて、本発明の実施例に係るスロットマシン（遊技台）について詳細に説明する。
【００２０】
＜全体構成＞
まず、図１を用いて、本実施例１に係るスロットマシン１００の全体構成について説明する。なお、同図はスロットマシン１００の外観斜視図を示したものである。
【００２１】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。なお、本実施例１では、３個のリールをスロットマシン１００の中央内部に備えているが、リールの数やリールの設置位置はこれに限定されるものではない。
【００２２】
また、図柄表示窓１１３の外枠には、点滅や点灯などの点灯制御によって、後述する有効ラインや入賞ラインを報知するためのライン表示ＬＥＤ（図示省略）が配置されている。
【００２３】
さらに、スロットマシン１００内部において各々のリール１１０乃至１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０乃至１１２を停止させる。
【００２４】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２５】
スタートランプ１２１は、リール１１０乃至１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２６】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。精算ボタン１３２は、スロットマシン１００に電子的に貯留されたメダル及びベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２７】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０乃至１１２が回転し、遊技が開始される。ストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００２８】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例１では発光可能な受皿を採用している。
【００２９】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
＜制御部＞
次に、図２および図３を用いて、このスロットマシン１００の制御部の回路構成について詳細に説明する。
【００３０】
スロットマシン１００の制御部は、大別すると、遊技の中枢部分を制御する主制御部３００と、主制御部３００より送信されたコマンドに応じて各種機器を制御する副制御部４００と、によって構成されている。
＜主制御部＞
まず、図２を用いて、スロットマシン１００の主制御部３００について説明する。なお、同図は主制御部３００の回路ブロック図を示したものである。
【００３１】
主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３２】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３３】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【００３４】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７乃至１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダル及びベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００３５】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リール１１０乃至１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー（バケットにたまっているメダルをメダル払出口１５５から払出すための装置。）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技情報表示器１２６、貯留枚数表示器１２７等）が接続されている。
【００３６】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００３７】
＜副制御部＞
次に、図３を用いて、スロットマシン１００の副制御部４００について説明する。なお、同図は副制御部４００の回路ブロック図を示したものである。
【００３８】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００３９】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００４０】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００４１】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００４２】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００４３】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払い出し口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７及び扉装置１６３を制御する制御部である。
＜内部構成＞
スロットマシン１００の内部構成について簡単に説明する。
【００４４】
図４は、スロットマシン１００の内部構成の概略を示す前面扉１０２を開いた斜視図である。
【００４５】
本体部としてのキャビネット１０１の内部には、主制御基板収納ケース２１０、副制御基板収納ケース２２０及びリールユニット１８５や、図示を省略した電源ボックス、メダル払出装置１８０、メダル補助収納部２４０、中央スピーカユニット、外部中継端子板等の諸装置が配設されている。
【００４６】
リールユニット１８５は、樹脂製のケース２２１内にステッピングモータで駆動されるリール１１０乃至１１２を個別に着脱可能に取り付けて構成している。そして、このリールユニット１８５は、ケース２２１により３本のリールをユニット化し、キャビネット１０１に設けたリールユニット載置台２７８に対する着脱を容易に行えるように構成している。また、リールユニット載置台２７８の下部には、音通路２７７が取り付けられ、前面扉１０２がキャビネット１０１に閉じられた状態で前面扉１０２に取り付けられた音通路２６８と組み合わさるように構成している。中央スピーカユニットから出力された音は、この音通路２７７および音通路２６８を通過して外部に出力される。
【００４７】
キャビネット１０１の内部には、透明な樹脂ケースからなる基板収納ケースが、キャビネット１０１を構成している後板の上部に取り付けられている。この主制御基板収納ケース２１０の内部空間には、スロットマシン１００の全体的な制御を行う主制御部３００を構成する電気部品を実装した主制御基板が収納されている。
【００４８】
また、図示を省略した電源ボックスは、キャビネット１０１の後板の壁面に装着され、金属製ケースの内部に、スロットマシン１００の諸装置へ必要な電力を供給するための電源基板が収納されている。
【００４９】
さらに、キャビネット１０１の内部には、メダルを払い出すためのメダル払出装置１８０（以下、ホッパー１８０ということがある）が配設してある。メダル払出装置１８０は、ＤＣモータで駆動されメダルを１枚ずつ払い出すと共に、メダルを払い出す毎に検出信号を出力する払出装置本体６１５と、払出装置本体６１５にメダルを供給するとともにメダルを蓄積するメダルタンク６１０とで構成されている。そして、メダル払出装置１８０の横には、メダル補助収納部２４０が置かれており、前記メダル払出装置１８０がメダルでいっぱいになると、余分なメダルは流れ落ち、このメダル補助収納部２４０内に蓄積される。
【００５０】
そして、前記主制御基板及びリール１１０乃至１１２の側方、即ち向って左側の側板には、副制御基板を収納した副基板収納ケース２２０が配設してある。
【００５１】
一方、キャビネット１０１の側板にヒンジ装置２７６を介して蝶着された前面扉１０２には、演出装置２９０、この演出装置を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルをメダルタンク６１０に案内する通路６４１を備えている。
【００５２】
また、本実施例では、図４に示すようにスロットマシン１００の前面扉１０２を開いた状態において、リール１１２の右下には設定操作部５００が設けられており、前面扉１０２側の左側中段付近には設定変更ボタン５０４が設けられている。
【００５３】
スロットマシン１００の各種設定は、この設定操作部５００を操作した状態で設定変更ボタン５０４を押すことによって変更することができる。この点について図５を参照しながらさらに説明する。
【００５４】
図５は、図４に示した設定操作部５００を示す正面図であって、（Ａ）は設定キースイッチが露出した状態を示す図であり、（Ｂ）は設定キースイッチに規制部材を取り付けた状態を示す図である。
【００５５】
設定操作部５００には設定キースイッチ５０１および電源スイッチ５０２が設けられている。
【００５６】
スロットマシン１００の設定変更手順としては、設定変更用の鍵を設定キースイッチ５０１の鍵挿入穴５０１ａに挿入し、その鍵を反時計回りに９０度回転させてオンの位置に向け、さらに電源スイッチ５０２をオフからオンにする。この状態で、設定変更ボタン５０４の順押し操作を続けると設定値は、１２３４５６１２３・・・の順で数字が１増加する態様で順番に表示される。この表示には、たとえば出枚数表示器１２５、遊技回数表示器１２６あるいは貯留枚数表示器１２７などの表示器を、この設定値表示用に用いてもよいし、前面扉１０２を開いた内側の所望位置、たとえば設定操作部５００または設定変更ボタン５０４の近傍に別途専用の表示器を設けて設定値表示用に用いてもよい。
【００５７】
設定変更ボタン５０４の順押し操作により表示が所望の設定値になったならば、その状態でスタートレバー１３５を操作し、この操作によって設定が確定する。
【００５８】
設定キースイッチ５０１のオフ／オンの切り替えは鍵の形状が合わなければできないが、規制部材５０３は、詳しくは後述するが、設定キースイッチ５０１のオフ／オンの切り替えを行うことができる鍵の形状を変更する操作を規制する部材である。
【００５９】
本実施例では、設定キースイッチ５０１として可変式錠のピンタンブラー錠を用いて、設定キースイッチ５０１の鍵挿入穴５０１ａに挿入し設定キースイッチ５０１のオフ／オンの切り替えすなわち施錠、開錠が可能な鍵の形状を変更可能にしている。以下に、このような可変式錠のピンタンブラー錠の一例について説明する。
【００６０】
図６（Ａ）は、可変式錠としてのピンタンブラー錠の側断面図である。
【００６１】
また、図６（Ｂ）、図７（Ａ）、図７（Ｂ）、図８（Ａ）、図８（Ｂ）は、このピンタンブラー錠の動作を説明する側断面図である。
【００６２】
１は外周シリンダであり、一方側端面が取り付け側２にネジ３により固定状態に取り付けられている。
【００６３】
外周シリンダ１の内周面の軸方向において相対する位置のそれぞれには、直線状に４個のポケット４のそれぞれが放射方向に外周シリンダ１を連通するように設けられ、上側に位置するポケット４の取り付け側２に位置するものより外側の位置に、さらに補助ポケット６が設けられている。
【００６４】
７のそれぞれはカバー体であり、上記ポケット４の外側の開口を覆うように設けられており、上側カバー体７の補助ポケット６に対応する部分のみ開口５が設けられている。
【００６５】
８は中間シリンダであり、一方側端面の回動中心位置に突出するボス９が取り付け側２にネジ１０により回動可能に支持され、その外周面が上記外周シリンダ１の内周面に摺接するように設けられている。中間シリンダ８においても、内周面の軸方向において相対する位置のそれぞれに、上記ポケット４をそれぞれに対応するポケット１２が放射方向に中間シリンダ８を連通するように設けられ、また、上記補助ポケット６に対応する補助ポケット１３が中間シリンダ中間シリンダ８を連通するように設けられている。
【００６６】
１４は鍵挿入穴１５が設けられた内周シリンダであり、その両端面が外周シリンダ１と中間シリンダ８のそれぞれの端部間に位置決めされ、外周面が上記中間シリンダ８の内周面に摺接するように設けられている。内周シリンダ１４においても、鍵挿入穴１５内面の軸方向における一方側の位置に、上記ポケット１２それぞれに対応するポケット１６のそれぞれが放射方向に内周シリンダ１４を連通するように設けられている。
【００６７】
１７は補助ポケットであり、補助ポケット１７は上記中間シリンダ８の補助ポケット１３相対するように、外周面に凹み状に設けられている。
【００６８】
上記のように構成される外周シリンダ１、中間シリンダ８、内周シリンダ１４が、図６（Ａ）に示すように（通常の使用状態）、上部においてポケット４、１２，１６が相対し、補助ポケット６、１３、１７が相対する位置とされるとともに、下部においてポケット４、１２が相対する位置とされることにより、全体において、上部にポケット４、１２、１６が連通する４本の第１ポケット部２０と補助ポケット６、１３、１７が連通する１本の補助ポケット部２１が、下部にポケット４、１２が連通する４本の第２ポケット部２２都が形成される。
【００６９】
そして、上部に位置するそれぞれの第１ポケット部２０内に作動係止機構２４が、下側に位置するそれぞれの第２ポケット部２２内に設定用スペーサ供給機構２５が、補助ポケット部２１内にリセット機構２６がそれぞれ設けられている。
【００７０】
作動係止機構２４は、外周側から、コイルバネ３０、コイルバネ３０に押圧されるベース体３１、ベース体３１に接触するブロック３２、ブロック３２に接触する設定用スペーサ３３、設定用スペーサ３３に接触する突出ピン３４のそれぞれ、もしくは、コイルバネ３０、ベース体３１、ブロック３２、突出ピン３４のそれぞれが設けられて構成される。
【００７１】
設定用スペーサ供給機構２５は、外周側から、コイルバネ３６、コイルバネ３６に押圧されるベース体３７、ベース体３７に接触する設定用スペーサ３３が設けられて構成される。
【００７２】
コードリセット機構２６は、外周側から、外周シリンダ１の開口５を通して外部に突出する操作部４０を一体とするベース体４１、ベース体４１に接触する第１補助ブロック４２、その第１補助ブロック４２に接触する第２補助ブロック４３、その第２補助ブロック４３を外周側に押圧するコイルバネ４４が設けられて構成される。
【００７３】
図１７（Ａ）は上記の可変式錠を鍵挿入穴１５側から見た部分図であり、内周シリンダ１４端面の鍵挿入穴１５の外周シリンダ１に近接して位置する端部近傍には、鍵挿入穴１５位置表示用のマーク８０が付され、そのマーク８０に対応するように外周シリンダ１の端面にもマーク８１が付されている。これらマーク８０、８１は、部材のダイカスト成形時に一体に成形して付される。
【００７４】
このようにマーク８０、８１が付されることにより、図１７（Ａ）に示すようにマーク８０、８１が相対する場合は、鍵挿入穴１５が通常の施錠、開錠動作時における位置と認識でき、図１７（Ｂ）に示すようにマーク８０、８１が離反する場合は、鍵挿入穴１５がコード設定変更時における位置と認識できるようになり、これにより、鍵の使用間違いや、コード設定変更状態での放置を容易に防止できるようになる。
【００７５】
次に、上記可変式錠の動作を、図６（Ａ）、図６（Ｂ）、図７（Ａ）、図７（Ｂ）、図８（Ａ）、図８（Ｂ）の各図を参照して説明する。
【００７６】
図６（Ａ）に示す状態においては、可変式錠は図６（Ｂ）、図７（Ａ）に示す鍵Ｋａに対応するようにコード設定されている。
【００７７】
すなわち、上部のポケット部２０においては、左側から、１個、２個、０個、１個の設定用スペーサ３３が納められている［設定コード１２０１］。これにより、図６（Ｂ）に示すようなピン押込み部３９形状を備える鍵Ｋａを挿入した場合のみ、それぞれの作動係止機構２４においてベース体３１とブロック３２との接触面が丁度外周シリンダ１と中間シリンダ８との上側接触面Ｘに合致するように直線状に位置する。
【００７８】
一方、下部のポケット部２２においても設定用スペーサ供給機構２５において、設定用スペーサ３３どうしの接触面と設定用スペーサ３３とベース体３７との接触面とが丁度外周シリンダ１と中間シリンダ８との下側接触面Ｘに合致するように直線状に位置する。
【００７９】
そして、この状態において、図６（Ｂ）に示すように、リセット機構２６の操作部４０が押し込まれていない場合は、ベース体４１と第１補助ブロック４２との接触面が上記上側接触面Ｘに合致し、かつ、第２補助ブロック４３が中間シリンダ８と内周シリンダ１４との上側接触面Ｙ部分に位置する。したがってこの状態においては接触面Ｘ部分のみで摺動回転が可能となり、鍵Ｋａを回転すると、鍵Ｋａとともに中間シリンダ８と内周シリンダ１４とが一体に回転する。この回転動作に伴って、中間シリンダ８に一体の、図に表れないロック部の作用により施錠、開錠動作が行われる。
【００８０】
上記において、仮に図７（Ｂ）、図８（Ａ）に示す［設定コード０１２０］の鍵Ｋｂが用いられた場合、図８（Ｂ）に示すような状態となる。この場合は、左側の２個のブロック３２と、最も右側のブロック３２がともに上側接触面Ｘ部分に位置するとともに、左側から３個目のベース体３１が接触面Ｘ部分に一致し、接触面Ｘにおける摺動は行えなくなり、その結果、鍵Ｋｂを回しても中間シリンダ８、内周シリンダ１４は一体に回転せず、施錠、開錠の動作は行えない。上記回転は、ブロック３２もしくはベース体３１の１個のものが接触面Ｘ部分に位置するのみで行われなくなる。
【００８１】
上記の鍵Ｋｂが使用されている場合において、仮に中間シリンダ８が外周シリンダ１に連続一体で、また、ベース体３１とブロック３２とが連続一体の場合について考察する。この場合は、上記における３個のブロック３２が接触面Ｘ部分に位置する構成、１個のベース体３１が接触面Ｘ部分に位置する構成はともに得られず、左側から３個目のブロック３２に相当する部分が接触面Ｙ部分に位置する構成のみが得られる。したがって、その１個のブロック３２に相当する部分が接触面Ｙ部分に位置する故に、鍵Ｋｂと一体に内周シリンダ１４が回転することは阻止される。
【００８２】
しかしながら、上記と同様の条件で、仮に［設定コード００００］の形状の鍵Ｋｃ（図示せず）が用いられた場合、接触面Ｙがすべての作動係止機構２４において、突出ピン３４と回転設定用スペーサ３３との接触面、もしくは突出ピン３４とブロック３２の相当部との接触面に合致するので、鍵Ｋｃの回転に伴って内周シリンダ１４も回転してしまうこととなる。すなわち、中間シリンダ８がなく、ブロック３２が使用されない可変式錠構成においては、［設定コードａｂｃｄ］の錠の場合、［設定コードｅｆｇｈ］（ただしｅ≦ａ、ｆ≦ｂ、ｇ≦ｃ、ｈ≦ｄ）の鍵によっても施錠、開錠が可能となってしまうこととなる。
【００８３】
上記不都合を解消するように、本実施例では、中間シリンダ８を設けるとともにブロック３２それぞれを装着し、設定コードが異なる鍵が用いられた場合、常に接触面Ｘにブロック２４もしくはベース体３１が位置するようにして、設定コードの異なるいかなる鍵の使用も行えない構成としたもので、その結果、用いられる設定用スペーサ３３がｍ個、作動係止機構２４の数をｎとする場合、ｍｎの設定コードが得られるものである。
【００８４】
次に、コード設定変更動作について説明する。
【００８５】
可変式錠のコード設定を変える場合は、図７（Ａ）に示すように、鍵Ｋａを挿入した状態において、リセット機構２６の操作部４０を押し込み、その状態において鍵Ｋａを１８０度回転させる。上記のリセット機構２６が押し込まれた状態においては、ベース体４１の下部が接触面Ｘ部分に位置し、第１補助ブロック４２と第２補助ブロック４３との接触面が丁度上側接触面Ｙに合致して、その接触面Ｙにおける摺動回転のみが可能となる。したがって、鍵Ｋａが回転されると内周シリンダ１４のみが１８０度回転される。
【００８６】
そして、その回転状態において、鍵Ｋａを抜く。この鍵Ｋａを抜いた状態においては、コイルバネ３６それぞれの押圧によりそれぞれの突出ピン３４は鍵挿入穴１５内に突出する。
【００８７】
次に、使用を希望する鍵Ｋｂを図７（Ｂ）に示すように挿入すると、その鍵Ｋｂの押込み部３９の形状に対応して突出ピン３４のそれぞれは押し込まれる。この突出ピン３４の押込み度合いに対応して、内周シリンダ１４のポケット１６側に設定用スペーサ３３が左側から０個、１個、２個、０個残されることにより供給され、この状態において図６（Ｂ）から図７（Ａ）への回転方向と逆方向に鍵Ｋｂを回転させる。この際もリセット機構２６は押し込まれた状態であるので、内周シリンダ１４のみが回転する。
【００８８】
そして、回転完了後にリセット機構２６が復帰されることにより、図８（Ａ）に示すように上側接触面Ｘにリセット機構２６のベース体４１と補助ブロック４２との接触面とが合致する。
【００８９】
これにより、可変式錠の設定変更が完了され、この状態において、可変式錠は上記鍵Ｋａから変更されて、鍵Ｋｂによる施錠、開錠の動作が可能となる。すなわち、上記のコード設定変更動作においては、鍵Ｋａに対応する［設定コード１２０１］から鍵Ｋｂに対応する［設定コード０１２０］に変更されたものである。
【００９０】
上記可変式錠では、リセット機構２６の操作部４０を押し込んで、施錠、開錠が可能な鍵の形状を変更する、すなわちキーコードを変更するようにしているが、施錠、開錠が可能な鍵の形状を変更する手段の他の例として、リセット機構２６を用いないものであってもよく、たとえば、鍵を鍵挿入穴に挿入し、施錠、開錠の際に回転させる範囲とは異なる範囲に回転させることによって行うようにすることもできる。
【００９１】
本発明は、施錠、開錠が可能な鍵の形状の変更、すなわちキーコードの変更を不正に行うことを防止するものである。以下に、この構成について図面を参照しながら説明する。
【００９２】
図９は、キーコードの不正変更を防止する規制部材の実施例１を示す図であり、（Ａ）は設定キースイッチ５０１に規制部材を装着した状態を示す斜視図であり、（Ｂ）は規制部材を外した設定キースイッチ５０１を示す斜視図であり、（Ｃ）は（Ｂ）の設定キースイッチ５０１を鍵挿入穴の方から見た正面図であり、（Ｄ）は規制部材を示す斜視図であり、（Ｅ）は（Ｄ）の規制部材を上から見た平面図である。
【００９３】
この実施例１の規制部材５０３は、鍵挿入穴５０１ａに挿入した鍵の回転可能範囲を規制する回転規制片５０３ａと、規制部材５０３を設定キースイッチ５０１に装着、固定する腕部５０３ｂとを有して構成される。設定キースイッチ５０１には、腕部５０３ｂを挿入する孔５０１ｂが設けられている。
【００９４】
腕部５０３ｂの先端には楔形状の楔部５０３ｃが設けられており、孔５０１ｂに腕部５０３ｂを挿入すると、この楔部５０３ｃが孔５０１ｂに嵌って抜けず、設定キースイッチ５０１に規制部材５０３を装着、固定することができる。この規制部材５０３は一度装着すると、楔部５０３ｃのため、破損させなければ取り外すことができない状態になる。
【００９５】
本実施例１では、設定キースイッチ５０１のキーコードを変更するには、鍵挿入穴５０１ａに挿入した鍵を時計回りに回転させる必要があるものとする。これに対して規制部材５０３の回転規制片５０３ａは、この鍵の時計回りへの回転を規制する。一方、図５（Ａ）に示したオフ／オンの切り替え操作については、規制部材５０３は何ら規制しない。
【００９６】
本実施例１によれば、不正にキーコードを変更されるのを防ぐことができる。無理に規制部材５０３を取り外すと、規制部材５０３は破損し、不正の痕跡が残ることになる。
【００９７】
なお、上記では鍵を鍵挿入穴５０１ａに挿入して回転させる動きを作動範囲として説明したが、本発明はこれに限られず、この鍵の作動範囲としては、回転以外の作動範囲であってもよく、たとえば鍵を鍵挿入穴５０１ａに挿入する深さなどでもよく、規制部材としてはこれらの作動範囲を規制するものであればよい。
【００９８】
次に、規制部材の実施例２について説明する。
【００９９】
図１０は、キーコードの不正変更を防止する規制部材の実施例２を示す図であり、（Ａ）は規制部材を示す斜視図であり、（Ｂ）は（Ａ）の規制部材を上から見た平面図である。
【０１００】
この実施例２の規制部材１５０３は、鍵挿入穴５０１ａに挿入した鍵の回転可能範囲を規制する回転規制片１５０３ａと、規制部材１５０３を設定キースイッチ５０１に装着、固定する腕部１５０３ｂとを有して構成される。腕部１５０３ｂの先端には楔形状の楔部１５０３ｃが設けられており、この規制部材１５０３を設定キースイッチ５０１に装着、固定する構成は実施例１と同様である。また、この規制部材１５０３において設定キースイッチ５０１のキーコードの変更を規制する構成も実施例１と同様である。
【０１０１】
この規制部材１５０３は薄肉部１５０３ｄを有しており、不正行為により設定キースイッチ５０１から取り外されそうになると、この薄肉部１５０３ｄにて破損しやすく構成されている。このため、規制部材１５０３の破損により不正行為の痕跡が残ることになる。
【０１０２】
また、本実施例２によれば、不正にキーコードを変更されるのを防ぐことができる。
【０１０３】
次に、規制部材の実施例３について説明する。
【０１０４】
図１１は、キーコードの不正変更を防止する規制部材の実施例３を示す図であり、（Ａ）は規制部材を上から見た平面図であり、（Ｂ）は（Ａ）の規制部材の回動部を回動させた状態を示す平面図であり、（Ｃ）は（Ａ）の規制部材の斜視図である。
【０１０５】
この実施例３の規制部材２５０３は、鍵挿入穴５０１ａに挿入した鍵の回転可能範囲を規制する回転規制片２５０３ａと、規制部材２５０３を設定キースイッチ５０１に装着、固定する腕部２５０３ｂおよび２５０３ｅとを有して構成される。腕部２５０３ｂの先端には楔形状の楔部２５０３ｃが設けられており、また、腕部２５０３ｅは回動部２５０３ｇを有し、腕部２５０３ｅの先端には楔形状の楔部２５０３ｆが設けられている。
【０１０６】
この規制部材２５０３において設定キースイッチ５０１のキーコードの変更を規制する構成は実施例１と同様である。
【０１０７】
実施例３の規制部材２５０３は回動部２５０３ｇにて回動可能に構成されており、これにより、スロットマシン１００を導入した店舗の担当者にてキーコードを変更可能とすることができる。
【０１０８】
たとえば、スロットマシン１００の工場出荷時には、楔部２５０３ｃは設定キースイッチ５０１の孔５０１ｂに挿入せず、楔部２５０３ｆだけを孔５０１ｂに挿入しておく。この状態でスロットマシン１００を納品された店舗担当者は、回動部２５０３ｇを回動させて回転規制片２５０３ａが鍵の回転可能範囲を規制しない状態にして設定キースイッチ５０１のキーコードを自店舗で用いる鍵へ変更する。キーコード変更が完了したなら、楔部２５０３ｃを設定キースイッチ５０１の孔５０１ｂに挿入して、規制部材２５０３を設定キースイッチ５０１に装着、固定することができる。この規制部材２５０３はこのように一度装着すると、楔部２５０３ｃ、２５０３ｆのため、破損させなければ取り外すことができない状態になる。
【０１０９】
本実施例３によれば、不正にキーコードを変更されるのを防ぐことができる。無理に規制部材２５０３を取り外すと、規制部材２５０３は破損し、不正の痕跡が残ることになる。
【０１１０】
また、一方の楔部２５０３ｆのみを設定キースイッチ５０１の孔５０１ｂに嵌め込んだ状態にしておけば、回動部２５０３ｇにて回動することにより回転規制片２５０３ａによる規制を解除することができ、キーコードを変更することができる。
【０１１１】
次に、規制部材の実施例４について説明する。
【０１１２】
図１２は、キーコードの不正変更を防止する規制部材の実施例４を示す図であり、（Ａ）は規制部材を上から見た平面図であり、（Ｂ）は（Ａ）の規制部材の回動部を回動させた状態を示す平面図であり、（Ｃ）は（Ａ）の規制部材の斜視図である。
【０１１３】
この実施例４の規制部材３５０３は、鍵挿入穴５０１ａに挿入した鍵の回転可能範囲を規制する回転規制片３５０３ａと、規制部材３５０３を設定キースイッチ５０１に装着、固定する腕部３５０３ｂおよび３５０３ｅとを有して構成される。腕部３５０３ｂの先端には楔形状の楔部３５０３ｃが設けられており、また、腕部３５０３ｅは回動部３５０３ｇを有し、腕部３５０３ｅの先端には楔形状の楔部３５０３ｆが設けられている。
【０１１４】
この規制部材３５０３を設定キースイッチ５０１に装着、固定する構成は実施例３と同様である。また、この規制部材３５０３において設定キースイッチ５０１のキーコードの変更を規制する構成は実施例１と同様である。
【０１１５】
この規制部材３５０３は薄肉部３５０３ｄを有しており、不正行為により設定キースイッチ５０１から取り外されそうになると、この薄肉部３５０３ｄにて破損しやすく構成されている。このため、規制部材３５０３の破損により不正行為の痕跡が残ることになる。
【０１１６】
また、本実施例４によれば、不正にキーコードを変更されるのを防ぐことができる。
【０１１７】
次に、規制部材の実施例５について説明する。
【０１１８】
図１３は、キーコードの不正変更を防止する規制部材の実施例５を示す図であり、（Ａ）は設定キースイッチを示す斜視図であり、（Ｂ）は寝かして空洞部を見えるようにした状態で規制部材を示す斜視図であり、（Ｃ）は規制部材の側面図であり、（Ｄ）は設定キースイッチに規制部材を装着した状態を示す斜視図である。
【０１１９】
上述の実施例１、２、３、４では、設定キースイッチ５０１のキーコードを変更するには、鍵挿入穴５０１ａに挿入した鍵を時計回りに回転させる必要があるものに対する規制部材について説明したが、本実施例５では、設定キースイッチ１５０１のキーコードを変更するには、リセット機構の操作部１５０１ｃを押下する必要があるものとする。
【０１２０】
設定キースイッチ１５０１には、鍵挿入穴１５０１ａ、操作部１５０１ｃのほかに、規制部材５０５の腕部５０５ｂを挿入する孔１５０１ｄが設けられている。
【０１２１】
この実施例５の規制部材５０５は、空洞部５０５ａ’を有する頭部５０５ａと、規制部材５０５を設定キースイッチ１５０１に装着、固定する腕部５０５ｂとを有して構成される。
【０１２２】
規制部材５０５を設定キースイッチ１５０１に装着する際には、操作部１５０１ｃを空洞部５０５ａ’に収容するようにして、腕部５０５ｂを孔１５０１ｄに挿入する。腕部５０５ｂの先端には楔形状の楔部５０５ｃが設けられており、孔１５０１ｄに腕部５０５ｂを挿入すると、この楔部５０５ｃが孔１５０１ｄに嵌って抜けず、設定キースイッチ１５０１に規制部材５０５を装着、固定することができる。この規制部材５０５は一度装着すると、楔部５０５ｃのため、破損させなければ取り外すことができない状態になる。
【０１２３】
図１３（Ｄ）に示すように、設定キースイッチ１５０１に規制部材５０５を装着すると、操作部１５０１ｃは頭部５０５ａに覆われてしまい、操作部１５０１ｃを押下することは不可能となる。
【０１２４】
このため、本実施例５によれば、不正にキーコードを変更されるのを防ぐことができる。無理に規制部材５０５を取り外すと、規制部材５０５は破損し、不正の痕跡が残ることになる。
【０１２５】
次に、図９（Ｄ）などに示した規制部材の回転規制片についてさらに別の例について説明する。
【０１２６】
図１４は、規制部材の回転規制片の例を示す図であって設定キースイッチに装着した状態を鍵挿入穴の方から見た正面図であり、（Ａ）は図９（Ｄ）に示した規制部材５０３を示す図であり、（Ｂ）、（Ｃ）、（Ｄ）はそれぞれ別の規制部材を示す図である。
【０１２７】
図１４（Ａ）は、設定キースイッチ５０１が、キーコードを変更するためには、鍵挿入穴５０１ａに挿入した鍵を時計回りに回転させる必要があるものの場合の例である。この場合、規制部材５０３の回転規制片５０３ａを、鍵挿入穴５０１ａの左下位置に設けることでキーコードの変更を規制することができる。この回転規制片５０３ａによれば鍵挿入穴５０１ａに挿入した鍵を反時計回りに９０度回転させることは可能である。
【０１２８】
図１４（Ｂ）は、設定キースイッチ２５０１が、キーコードを変更するためには、鍵挿入穴２５０１ａに挿入した鍵を反時計回りに回転させる必要があるものの場合の例である。この場合、規制部材４５０３の回転規制片４５０３ａを、鍵挿入穴２５０１ａの左上位置に設けることでキーコードの変更を規制することができる。この回転規制片４５０３ａによれば鍵挿入穴２５０１ａに挿入した鍵を時計回りに９０度回転させることは可能である。
【０１２９】
図１４（Ｃ）は、設定キースイッチ５０１が、キーコードを変更するためには、鍵挿入穴５０１ａに挿入した鍵を時計回りに回転させる必要があるものの場合の例である。この場合、規制部材５５０３の回転規制片５５０３ａを、鍵挿入穴５０１ａの右上位置に設けることでキーコードの変更を規制することができる。この回転規制片５５０３ａによれば鍵挿入穴５０１ａに挿入した鍵を反時計回りに９０度回転させることは可能である。
【０１３０】
図１４（Ｄ）は、設定キースイッチ２５０１が、キーコードを変更するためには、鍵挿入穴２５０１ａに挿入した鍵を反時計回りに回転させる必要があるものの場合の例である。この場合、規制部材６５０３の回転規制片６５０３ａを、鍵挿入穴２５０１ａの右下位置に設けることでキーコードの変更を規制することができる。この回転規制片６５０３ａによれば鍵挿入穴２５０１ａに挿入した鍵を時計回りに９０度回転させることは可能である。
【０１３１】
上述の各実施例では、錠の鍵挿入穴に挿入した鍵を時計回りまたは反時計回りのどちらか一方向にしか回転させることができないように規制する規制部材について説明したが、本発明はこれに限られるものではない。たとえばスロットマシン１００の前面扉１０２に使用する錠は、前面扉１０２を閉めたままで鍵挿入穴に挿入した鍵を反時計回りに回すことによって装置の機能をリセットすることができ、鍵挿入穴に挿入した鍵を時計回りに回すことによって前面扉１０２の開閉に係る開錠、施錠を行うことができる。
【０１３２】
このような錠においては、鍵挿入穴に挿入した鍵をたとえば半周（１８０度）回転させることによってキーコードを変更することができる構成が知られている。そこで、以下では、鍵挿入穴に挿入した鍵を、時計回りおよび反時計回りの両方向に回転させることができるが、半周回転させることはできないように規制する規制部材について示す。
【０１３３】
図１５は、規制部材の回転規制片の例を示す図であって錠に装着した状態を鍵挿入穴の方から見た正面図であり、（Ａ）、（Ｂ）、（Ｃ）はそれぞれ別の規制部材を示す図である。
【０１３４】
図１５（Ａ）は、錠３５０１が、キーコードを変更するためには鍵挿入穴３５０１ａに挿入した鍵を半周回転させる必要があり、錠３５０１の機能として時計回りおよび反時計回りの両方向に回転させられる必要があるものの場合の例である。この場合、規制部材７５０３の回転規制片７５０３ａは鍵挿入穴３５０１ａの両側に設けられ、時計回りおよび反時計回りの略４５度の回転は可能にしながら、半周の回転は規制してキーコードの変更はできないようにしている。
【０１３５】
図１５（Ｂ）は、錠３５０１が、キーコードを変更するためには鍵挿入穴３５０１ａに挿入した鍵を半周回転させる必要があり、錠３５０１の機能として時計回りおよび反時計回りの両方向に回転させられる必要があるものの場合の例である。この場合、規制部材８５０３の回転規制片８５０３ａは鍵挿入穴３５０１ａの右側に設けられ、時計回りおよび反時計回りの回転は可能にしながら、半周の回転は規制してキーコードの変更はできないようにしている。
【０１３６】
図１５（Ｃ）は、錠３５０１が、キーコードを変更するためには鍵挿入穴３５０１ａに挿入した鍵を半周回転させる必要があり、錠３５０１の機能として時計回りおよび反時計回りの両方向に回転させられる必要があるものの場合の例である。この場合、規制部材９５０３の回転規制片９５０３ａは鍵挿入穴３５０１ａの左側に設けられ、時計回りおよび反時計回りの回転は可能にしながら、半周の回転は規制してキーコードの変更はできないようにしている。
【０１３７】
以下、本発明の施錠装置ユニットを適用可能な錠についてスロットマシン１００に用いられる錠を例に説明する。
【０１３８】
図１６は、前面扉１０２を外した状態のスロットマシン１００を示す正面図である。
【０１３９】
筐体１０１は、上面板２６１、左側の側面板２６０、右側の側面板２６０、下面板２６４および背面板２４２で囲われ、前面に開口する箱体である。
【０１４０】
筐体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。
【０１４１】
主制御基板収納ケース２１０及びリール１１０乃至１１２の側方、即ち向って左側の側面板２６０には、内部に副制御基板を収納した副制御基板収納ケース２２０が配設してある。
【０１４２】
また、向かって右側の側面板２６０には、主制御基板に接続されて、スロットマシン１００の情報を外部装置に出力する外部集中端子板２４８が取り付けられている。
【０１４３】
そして、リール１１０乃至１１２の下方には、メダル払出装置１８０が配設され、このメダル払出装置１８０の後方、即ち背面板２４２側には、電源基板２５４を有する電源装置２５２が配設される。
【０１４４】
また、電源装置２５２の上方には、スピーカ２５０が配設してある。更に、前記メダル払出装置１８０の右側には、メダル補助収納庫２４０が配設してある。
【０１４５】
なお、筐体１０１の内部のリール１１２の右下部には、上述の電源スイッチ５０２および設定キースイッチ５０１が設けてある。
【０１４６】
電源装置２５２には、電源コードを接続する電源コード接続部２５６が設けてある。この電源コード接続部２５６は、電源コードの一端に設けたＡＣコネクタに対応するコネクタ受である。このコネクタ受は、使用する電源コードに対応して設ければよく、電源コードのコード本体にアース線を含む三極コードを使用しているので、３つの刃部を有している。また、上記電源コード接続部２５６の下方には、他の装置のアース線を接続するためのアース部２５８が設けてある。
【０１４７】
スロットマシン１００では、電源装置２５２に接続された電源コードが、筐体１０１の背面板２４２に開設した電源コード用穴２６２を通して外部に延出している。
【０１４８】
主制御基板収納ケース２１０の左上部には、主制御基板の取り外しまたは主制御基板収納ケース２１０の開閉用の錠である基板封印鍵５１０が設けられている。基板封印鍵５１０は、主制御基板以外の基板の取り外しまたは主制御基板以外の基板を収容するケースの開閉用の錠であってもよい。
【０１４９】
リール１１０の右側下方には、リール１１０乃至１１２を有するリールユニット１８５の取り外しの錠であるリールユニット固定鍵５１１が設けられている。
【０１５０】
また、メダル払出装置１８０（ホッパー１８０）の右側にはこのホッパー１８０の取り外しの錠であるホッパー固定鍵５１２が設けられている。
【０１５１】
本発明の施錠装置ユニットは、基板封印鍵５１０、リールユニット固定鍵５１１およびホッパー固定鍵５１２に適用することもできる。
【０１５２】
なお、上述の実施例たとえば図１０（Ａ）、（Ｂ）に示した実施例２では、規制部材１５０３のうち、鍵挿入穴５０１ａの正面にある部分に薄肉部１５０３ｄを設けたが、本発明はこれに限られるものではない。この例について以下に実施例６として説明する。
【０１５３】
次に、規制部材の実施例６について説明する。
【０１５４】
図１８は、キーコードの不正変更を防止する規制部材の実施例６を示す図であり、（Ａ）は規制部材を示す斜視図であり、（Ｂ）は（Ａ）の規制部材を上から見た平面図であり、（Ｃ）は（Ａ）の規制部材を右の腕部の側から見た側面図である。
【０１５５】
この実施例６の規制部材１０５０３は、鍵挿入穴５０１ａに挿入した鍵の回転可能範囲を規制する回転規制片１０５０３ａと、規制部材１０５０３を設定キースイッチ５０１に装着、固定する腕部１０５０３ｂとを有して構成される。腕部１０５０３ｂの先端には楔形状の楔部１０５０３ｃが設けられており、この規制部材１０５０３を設定キースイッチ５０１に装着、固定する構成は実施例１と同様である。また、この規制部材１０５０３において設定キースイッチ５０１のキーコードの変更を規制する構成も実施例１と同様である。
【０１５６】
この規制部材１０５０３は腕部１０５０３ｂの根元に薄肉部１０５０３ｈを有しており、不正行為により設定キースイッチ５０１から取り外されそうになると、この薄肉部１０５０３ｈにて破損しやすく構成されている。このため、規制部材１０５０３の破損により不正行為の痕跡が残ることになる。
【０１５７】
また、本実施例６によれば、不正にキーコードを変更されるのを防ぐことができる。
【０１５８】
なお、この実施例６による腕部の根元に薄肉部を設ける構成を、上述の実施例のいずれかと組み合わせて実施することも本発明の範疇であることは言うまでもない。
【０１５９】
本発明による施錠装置ユニットは、上述したように、スロットマシン（パチスロ機）やパチンコ機等の遊技台に用いることによって、遊技台の鍵を不正に変更されることがなくなり、その錠を有効に取り扱うことができる。
【０１６０】
なお、図１３（Ａ）、（Ｂ）、（Ｃ）においては、リセット機構の操作部１５０１ｃが設定キースイッチ１５０１の上部にある場合について示したが、本発明はこれに限られるものではなく、リセット機構の操作部が正面や裏側、側面などのいかなる場所にあるものであってもよく、その場所に応じた形状で規制部材を構成し、リセット機構の操作部の操作（押下に限られずともよい）を規制すればよい。
【０１６１】
以上、本発明の実施例を説明したが、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【産業上の利用可能性】
【０１６２】
本発明に係る遊技台は、スロットマシンやパチンコ機などに代表される遊技台に適用することができる。
【図面の簡単な説明】
【０１６３】
【図１】スロットマシン１００の外観斜視図である。
【図２】主制御部３００の回路ブロック図である。
【図３】副制御部４００の回路ブロック図である。
【図４】スロットマシン１００の内部構成の概略を示す前面扉１０２を開いた斜視図である。
【図５】図４に示した設定操作部５００を示す正面図であって、（Ａ）は設定キースイッチが露出した状態を示す図であり、（Ｂ）は設定キースイッチに規制部材を取り付けた状態を示す図である。
【図６】（Ａ）は可変式錠としてのピンタンブラー錠の側断面図であり、（Ｂ）は（Ａ）のピンタンブラー錠の動作を説明する側断面図である。
【図７】（Ａ）、（Ｂ）は、図６（Ａ）のピンタンブラー錠の動作を説明する側断面図である。
【図８】（Ａ）、（Ｂ）は、図６（Ａ）のピンタンブラー錠の動作を説明する側断面図である。
【図９】キーコードの不正変更を防止する規制部材の実施例１を示す図であり、（Ａ）は設定キースイッチ５０１に規制部材を装着した状態を示す斜視図であり、（Ｂ）は規制部材を外した設定キースイッチ５０１を示す斜視図であり、（Ｃ）は（Ｂ）の設定キースイッチ５０１を鍵挿入穴の方から見た正面図であり、（Ｄ）は規制部材を示す斜視図であり、（Ｅ）は（Ｄ）の規制部材を上から見た平面図である。
【図１０】キーコードの不正変更を防止する規制部材の実施例２を示す図であり、（Ａ）は規制部材を示す斜視図であり、（Ｂ）は（Ａ）の規制部材を上から見た平面図である。
【図１１】キーコードの不正変更を防止する規制部材の実施例３を示す図であり、（Ａ）は規制部材を上から見た平面図であり、（Ｂ）は（Ａ）の規制部材の回動部を回動させた状態を示す平面図であり、（Ｃ）は（Ａ）の規制部材の斜視図である。
【図１２】キーコードの不正変更を防止する規制部材の実施例４を示す図であり、（Ａ）は規制部材を上から見た平面図であり、（Ｂ）は（Ａ）の規制部材の回動部を回動させた状態を示す平面図であり、（Ｃ）は（Ａ）の規制部材の斜視図である。
【図１３】キーコードの不正変更を防止する規制部材の実施例５を示す図であり、（Ａ）は設定キースイッチを示す斜視図であり、（Ｂ）は寝かして空洞部を見えるようにした状態で規制部材を示す斜視図であり、（Ｃ）は規制部材の側面図であり、（Ｄ）は設定キースイッチに規制部材を装着した状態を示す斜視図である。
【図１４】規制部材の回転規制片の例を示す図であって設定キースイッチに装着した状態を鍵挿入穴の方から見た正面図であり、（Ａ）は図９（Ｄ）に示した規制部材５０３を示す図であり、（Ｂ）、（Ｃ）、（Ｄ）はそれぞれ別の規制部材を示す図である。
【図１５】規制部材の回転規制片の例を示す図であって錠に装着した状態を鍵挿入穴の方から見た正面図であり、（Ａ）、（Ｂ）、（Ｃ）はそれぞれ別の規制部材を示す図である。
【図１６】前面扉１０２を外した状態のスロットマシン１００を示す正面図である。
【図１７】（Ａ）、（Ｂ）は可変式錠を鍵挿入穴１５側から見た部分図である。
【図１８】キーコードの不正変更を防止する規制部材の実施例６を示す図であり、（Ａ）は規制部材を示す斜視図であり、（Ｂ）は（Ａ）の規制部材を上から見た平面図であり、（Ｃ）は（Ａ）の規制部材を右の腕部の側から見た側面図である。
【符号の説明】
【０１６４】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  スタートランプ
１２２  再遊技ランプ
１２３  告知ランプ
１２４  メダル投入ランプ
１２５  払出枚数表示器
１２６  遊技回数表示器
１２７  貯留回数表示器
１２８  リールパネルランプ
１３０、１３１  メダル投入ボタン
１３２  精算ボタン
１３３  メダル返却ボタン
１３４  メダル投入口
１３５  スタートレバー
１３７、１３８、１３９  ストップボタン
１５５  メダル払出口
１８０  メダル払出装置（ホッパー）
１８５  リールユニット
２１０  主制御基板収納ケース
２２０  副制御基板収納ケース
３００  主制御部
３１０  ＣＰＵ
３１１  水晶発振器
３１２  ＲＯＭ
３１３  ＲＡＭ
４００  副制御部
４１０  ＣＰＵ
４１１  水晶発振器
４１２  ＲＯＭ
４１３  ＲＡＭ
５００  設定操作部
５０１  設定キースイッチ
５０１ａ  鍵挿入穴
５０２  電源スイッチ
５０３  規制部材
５０３ａ  回転規制片
５０４  設定変更ボタン
【図１】
0004920635.tif 000002
【図２】
0004920635.tif 000003
【図３】
0004920635.tif 000004
【図４】
0004920635.tif 000005
【図５】
0004920635.tif 000006
【図６】
0004920635.tif 000007
【図７】
0004920635.tif 000008
【図８】
0004920635.tif 000009
【図９】
0004920635.tif 000010
【図１０】
0004920635.tif 000011
【図１１】
0004920635.tif 000012
【図１２】
0004920635.tif 000013
【図１３】
0004920635.tif 000014
【図１４】
0004920635.tif 000015
【図１５】
0004920635.tif 000016
【図１６】
0004920635.tif 000017
【図１７】
0004920635.tif 000018
【図１８】
0004920635.tif 000019